(57)【要約】【課題】無線装置を小型化する。【解決手段】ベースバンド処理装置１０は、光伝送路を介して受信した信号を増幅部で増幅した後に無線送信する無線装置５０に対して、送信対象のデータ信号を、光伝送路を介して送信する。また、ベースバンド処理装置１０において歪補償部１２は、無線装置５０の増幅部の出力信号に応じたフィードバック信号を取得し、取得したフィードバック信号に基づいて、無線装置５０の増幅部における歪の逆特性に対応する歪補償係数を送信対象のデータ信号に掛け合わせる。【選択図】図２
2016082402.tif 000002
【特許請求の範囲】
【請求項１】
光伝送路を介して受信した信号を増幅部で増幅した後に無線送信する無線装置に対して、送信対象のデータ信号を、前記光伝送路を介して送信するベースバンド処理装置であって、
前記増幅部の出力信号に応じたフィードバック信号を取得する取得部と、
前記取得したフィードバック信号に基づいて、前記増幅部における歪の逆特性に対応する歪補償係数を前記送信対象のデータ信号に掛け合わせる歪補償部と、
を具備することを特徴とするベースバンド処理装置。
【請求項２】
前記光伝送路を介して前記無線装置から送信された第１の既知信号をモニタするモニタ部と、
前記モニタ部によって前記第１の既知信号にエラーが検出された場合、前記歪補償部における歪補償係数の更新処理を停止させる歪補償制御部、
をさらに具備することを特徴とする請求項１に記載のベースバンド処理装置。
【請求項３】
第２の既知信号を、前記光伝送路を介して前記無線装置へ送信する送信部と、
前記第２の既知信号の送信タイミングと、前記第２の既知信号に対応し且つ前記無線装置から前記光伝送路を介して送信された返信信号の受信タイミングとに基づいて、ラウンドトリップタイムを算出する算出部と、
前記算出したラウンドトリップタイムに基づいて、前記歪補償部に含まれる遅延部の遅延時間を補正する遅延補正部と、
をさらに具備することを特徴とする請求項１又２に記載のベースバンド処理装置。
【請求項４】
自装置内のフレームタイミング信号を、カウンタが所定値をカウントする毎に出力する出力部と、
前記無線装置のカウンタにおけるカウント値を取得し、前記取得したカウント値に基づいて、前記出力部のカウンタにおけるカウント値を補正するフレーム補正部と、
を具備することを特徴とする請求項１から３のいずれか一項に記載のベースバンド処理装置。
【請求項５】
自装置内のフレームタイミング信号を、カウンタが所定値をカウントする毎に出力する出力部と、
前記カウンタにおけるカウント値を前記光伝送路を介して前記無線装置へ送信するフレーム補正制御部と、
を具備することを特徴とする請求項１から３のいずれか一項に記載のベースバンド処理装置。
【請求項６】
ベースバンド処理装置から送信され且つ光伝送路を介して受信した信号を増幅した後に無線送信する無線装置であって、
前記受信した信号を増幅する増幅部と、
前記増幅部の出力信号に応じたフィードバック信号を形成する形成部と、
前記形成したフィードバック信号を、前記光伝送路を介して前記ベースバンド処理装置へ送信する送信部と、
を具備することを特徴とする無線装置。
【請求項７】
自装置内のフレームタイミング信号を、カウンタが所定値をカウントする毎に出力する出力部と、
前記ベースバンド処理装置のカウンタにおけるカウント値を取得し、前記取得したカウント値に基づいて、前記出力部のカウンタにおけるカウント値を補正するフレーム補正部と、
を具備することを特徴とする請求項６に記載の無線装置。
【請求項８】
自装置内のフレームタイミング信号を、カウンタが所定値をカウントする毎に出力する出力部と、
前記カウンタにおけるカウント値を、前記光伝送路を介して前記ベースバンド処理装置へ送信するフレーム補正制御部と、
を具備することを特徴とする請求項６に記載の無線装置。
【請求項９】
送信対象のデータ信号を、光伝送路を介して送信するベースバンド処理装置と、前記光伝送路を介して受信したデータ信号を増幅部で増幅した後に無線送信する無線装置とを有する無線通信システムであって、
前記ベースバンド処理装置は、
前記増幅部の出力信号に応じたフィードバック信号を取得する取得部と、
前記取得したフィードバック信号に基づいて、前記増幅部における歪みの逆特性に対応する歪補償係数を前記送信対象のデータ信号に掛け合わせる歪補償部と、
を具備し、
前記無線装置は、
前記受信したデータ信号を増幅する増幅部と、
前記増幅部の出力信号に応じたフィードバック信号を形成する形成部と、
前記形成したフィードバック信号を、前記光伝送路を介して前記ベースバンド処理装置へ送信する送信部と、
を具備する、
ことを特徴とする無線通信システム。
【発明の詳細な説明】
【技術分野】
【０００１】
本発明は、ベースバンド処理装置、無線装置、及び無線通信システムに関する。
【背景技術】
【０００２】
従来、無線基地局装置（以下では、単に「基地局」と呼ぶことがある）には、送信信号の電力を増幅する増幅部が備えられている。基地局では、一般的に、増幅部の電力効率を高めるために、増幅部の飽和領域付近で増幅部を動作させる。しかし、増幅部を飽和領域付近で動作させると非線形歪が増大する。そこで、この非線形歪を抑えて隣接チャネル漏洩電力（ACLR：Adjacent  Channel  Leakage  Ratio)を低減するために、基地局には、非線形歪を補償する歪補償部が備えられる。
【０００３】
歪補償部で用いられる歪補償方式の一つに「プリディストーション（以下では「ＰＤ」と呼ぶことがある）方式」がある。ＰＤ方式の歪補償部は、増幅部の非線形歪の逆特性を有する歪補償係数を増幅部への入力前の送信ベースバンド信号に予め乗算することで、増幅部の出力の線形性を高めて増幅部の出力の歪を抑圧する。送信ベースバンド信号に歪補償係数を乗算した後の信号は「プリディストーション信号（ＰＤ信号）」と呼ばれることがある。よって、ＰＤ信号は、増幅部への入力前に、増幅部の非線形歪の逆特性に従って予め歪んだ信号となる。
【０００４】
例えば、ＰＤ方式の歪補償部として、複数の歪補償係数が格納されたルックアップテーブル（以下では「ＬＵＴ」と呼ぶことがある）を有し、送信ベースバンド信号の電力に応じたアドレスをＬＵＴに指定してＬＵＴから歪補償係数を読み出すものがある。ＬＵＴに格納された歪補償係数は、参照信号としての送信ベースバンド信号と、増幅部から出力されてフィードバックされた信号（以下では「フィードバック信号」と呼ぶことがある）とを比較して得られる両信号の誤差が最小になるように逐次更新される。
【先行技術文献】
【特許文献】
【０００５】
【特許文献１】特開２００７−９６７７５号公報
【発明の概要】
【発明が解決しようとする課題】
【０００６】
ところで、通信システムにおける伝送容量（以下では、「システム容量」と呼ばれることがある）を増大させるために、様々な工夫がなされている。例えば、３ＧＰＰ  ＬＴＥ（3rd  Generation  Partnership  Project  Long  Term  Evolution）では、「マクロセル」の他に「小セル」を活用してシステム容量を増大させる技術に関する議論が行われている。ここで、「セル」は、１つの基地局装置（以下では、単に「基地局」と呼ばれることがある）の「カバーエリア」と「チャネル周波数」とに基づいて規定される。「カバーエリア」とは、基地局から送信された電波が到達するエリアの全体でもよいし、射程エリアが分割された分割エリア（所謂、セクタ）であってもよい。また、「チャネル周波数」とは、基地局が通信に使用する周波数の一単位であり、中心周波数と帯域幅とに基づいて規定される。また、チャネル周波数は、システム全体に割り当てられている「オペレーティング帯域」の一部である。そして、「マクロセル」は、高い送信電力で送信可能な基地局、つまりカバーエリアの大きい基地局のセルである。また、「小セル」は、低い送信電力で送信する基地局、つまりカバーエリアの小さい基地局のセルである。
【０００７】
そして、小セル化を実現するためには、小セル基地局を多数配置することになる。そこで、基地局をベースバンド処理装置（BBU:Base  Band  Unit）と無線装置（RRH：Remote  Radio  Head）とに分け、１つのベースバンド処理装置に複数の無線装置を従属させることが検討されている。そして、基地局の設置自由度を向上させるため、無線装置を小型化することが望まれている。
【０００８】
開示の技術は、上記に鑑みてなされたものであって、無線装置を小型化することができる、ベースバンド処理装置、無線装置、及び無線通信システムを提供することを目的とする。
【課題を解決するための手段】
【０００９】
開示の態様では、ベースバンド処理装置は、光伝送路を介して受信した信号を増幅部で増幅した後に無線送信する無線装置に対して、送信対象のデータ信号を、前記光伝送路を介して送信する。前記ベースバンド処理装置は、取得部と、歪補償部とを有する。前記取得部は、前記増幅部の出力信号に応じたフィードバック信号を取得する。前記歪補償部は、前記取得したフィードバック信号に基づいて、前記増幅部における歪の逆特性に対応する歪補償係数を前記送信対象のデータ信号に掛け合わせる。
【発明の効果】
【００１０】
開示の態様によれば、無線装置を小型化することができる。
【図面の簡単な説明】
【００１１】
【図１】図１は、実施例１の無線通信システムの一例を示すブロック図である。
【図２】図２は、実施例１のベースバンド処理装置の一例を示すブロック図である。
【図３】図３は、実施例１の歪補償部の一例を示すブロック図である。
【図４】図４は、実施例１の無線装置の一例を示すブロック図である。
【図５】図５は、実施例２のベースバンド処理装置の一例を示すブロック図である。
【図６】図６は、実施例２の無線装置の一例を示すブロック図である。
【図７】図７は、実施例２のベースバンド処理装置の処理動作の一例を示すフローチャートである。
【図８】図８は、実施例２の無線装置の処理動作の一例を示すフローチャートである。
【図９】図９は、実施例３のベースバンド処理装置の一例を示すブロック図である。
【図１０】図１０は、実施例３の無線装置の一例を示すブロック図である。
【図１１】図１１は、実施例３のベースバンド処理装置の処理動作の一例を示すフローチャートである。
【図１２】図１２は、実施例４のベースバンド処理装置の一例を示すブロック図である。
【図１３】図１３は、実施例４の無線装置の一例を示すブロック図である。
【図１４】図１４は、実施例４のベースバンド処理装置の処理動作の一例を示すフローチャートである。
【図１５】図１５は、ベースバンド処理装置のハードウェア構成例を示す図である。
【図１６】図１６は、無線装置のハードウェア構成例を示す図である。
【発明を実施するための形態】
【００１２】
以下に、本願の開示するベースバンド処理装置、無線装置、及び無線通信システムの実施形態を図面に基づいて詳細に説明する。なお、この実施形態により本願の開示するベースバンド処理装置、無線装置、及び無線通信システムが限定されるものではない。また、実施形態において同一の機能を有する構成には同一の符号を付し、重複する説明は省略される。
【００１３】
［実施例１］
［無線通信システムの概要］
図１は、実施例１の無線通信システムの一例を示すブロック図である。図１において、無線通信システム１は、ベースバンド処理装置１０と、無線装置５０と、端末９０とを有する。ベースバンド処理装置１０と無線装置５０とは、光伝送路Ｌ１によって接続されている。ベースバンド処理装置１０と無線装置５０とは、基地局に含まれる。また、無線装置５０と端末９０とは、無線によって接続されている。なお、図１では、ベースバンド処理装置１０と無線装置５０と端末９０との数をそれぞれ１つとしているが、これらの数はこれに限定されるものではない。
【００１４】
無線装置５０は、ベースバンド処理装置１０が送信した端末９０宛ての送信対象のデータ信号を、光伝送路Ｌ１を介して受信し、受信したデータ信号を後述する増幅部で増幅した後に、端末９０へ無線送信する。
【００１５】
また、無線装置５０は、増幅部の出力信号に応じた「フィードバック信号」を形成し、形成したフィードバック信号を、光伝送路Ｌ１を介してベースバンド処理装置１０へ送信する。
【００１６】
ベースバンド処理装置１０は、無線装置５０から送信されたフィードバック信号を取得し、取得したフィードバック信号に基づいて、「歪補償処理」を実行する。「歪補償処理」とは、後述する無線部における歪の逆特性に対応する歪補償係数を、送信対象のデータ信号に掛け合わせる処理である。
【００１７】
以上のように、無線装置５０の増幅部における歪を行う歪補償部が、無線装置５０内でなく、ベースバンド処理装置１０に設けられている。これにより、無線装置５０の小型化及び省電力化を実現することができる。
【００１８】
［ベースバンド処理装置の構成例］
図２は、実施例１のベースバンド処理装置の一例を示すブロック図である。図２において、ベースバンド処理装置１０は、ベースバンド部１１と、歪補償部１２と、高速シリアルインタフェース部１３と、光インタフェース部１４と、抽出部１５とを有する。高速シリアルインタフェース部１３は、多重部２１と、分離部２２とを有する。また、光インタフェース部１４は、電気／光変換部２３と、光／電気変換部２４とを有する。
【００１９】
ベースバンド部１１は、入力される送信データに対して符号化処理及び変調処理等のベースバンド処理を行って送信ベースバンド信号を生成し、生成した送信ベースバンド信号Ｉｎ（ｔ）を歪補償部１２へ出力する。
【００２０】
歪補償部１２は、ＰＤ方式の歪補償部であり、複数の電力範囲に対応する複数のアドレスにそれぞれ対応する複数の歪補償係数が記憶されたルックアップテーブル（ＬＵＴ）を有する。歪補償部１２は、送信ベースバンド信号の電力に応じて生成したアドレスに従ってＬＵＴを参照してＬＵＴから読み出した歪補償係数を送信ベースバンド信号に乗算してＰＤ信号Ｏｕｔ（ｔ）を生成し、生成したＰＤ信号Ｏｕｔ（ｔ）を高速シリアルインタフェース部１３へ出力する。また、歪補償部１２は、ＬＵＴに記憶されている歪補償係数を、参照信号としての送信ベースバンド信号Ｉｎ（ｔ）と、フィードバック信号ＦＢ（ｔ）との誤差に基づいて更新する。
【００２１】
図３は、実施例１の歪補償部の一例を示すブロック図である。図３において、歪補償部１２は、アドレス算出部３１と、ＬＵＴ３２と、乗算部３３と、遅延部３４，３５，３６と、比較部３７と、補償係数算出部３８とを有する。
【００２２】
アドレス算出部３１は、送信ベースバンド信号Ｉｎ（ｔ）の電力値及び位相に基づいて、アドレスを算出する。
【００２３】
ＬＵＴ３２は、アドレス算出部３１で算出されたアドレスＡｄｒ（ｔ）に対応する歪補償係数を歪補償係数テーブルから読み出し、読み出した歪補償係数を乗算部３３及び遅延部３５へ出力する。また、ＬＵＴ３２は、補償係数算出部３８で算出された歪補償係数の更新値及び遅延部３４から受け取った更新アドレスを用いて、歪補償係数テーブルを更新する。
【００２４】
例えば、ＬＵＴ３２は、図３に示すように、更新部４１と、テーブル記憶部４２と、読出部４３とを有する。
【００２５】
更新部４１は、補償係数算出部３８で算出された歪補償係数の更新値及び遅延部３４から受け取った更新アドレスを用いて、歪補償係数テーブルを更新する更新処理を実行する。
【００２６】
テーブル記憶部４２は、複数のアドレス値にそれぞれ対応する複数の歪補償係数を記憶する「歪補償係数テーブル」を記憶する。
【００２７】
読出部４３は、アドレス算出部３１で算出されたアドレスＡｄｒ（ｔ）に対応する歪補償係数を歪補償係数テーブルから読み出し、読み出した歪補償係数を乗算部３３及び遅延部３５へ出力する。
【００２８】
乗算部３３は、送信ベースバンド信号Ｉｎ（ｔ）とＬＵＴ３２からの歪補償係数とを乗算し、歪補償処理後の送信ベースバンド信号Ｉｎ（ｔ）（つまり、ＰＤ信号Ｏｕｔ（ｔ））を高速シリアルインタフェース部１３へ出力する。
【００２９】
遅延部３４は、アドレスＡｄｒ（ｔ）を遅延量ｄ１だけ遅延させ、遅延後のアドレスＡｄｒ（ｔ）を更新アドレスとして更新部４１へ出力する。遅延量ｄ１は、送信ベースバンド信号Ｉｎ（ｔ）が無線装置５０へ送信され、無線装置５０から送信ベースバンド信号Ｉｎ（ｔ）に対して送信されたフィードバック信号ＦＢ（ｔ）に基づいて歪補償係数の更新値が算出されるまでに掛かるトータルの遅延時間に対応する。
【００３０】
遅延部３５は、ＬＵＴ３２から出力された歪補償係数を遅延量ｄ２だけ遅延させ、遅延後の歪補償係数を補償係数算出部３８へ出力する。遅延量ｄ２は、送信ベースバンド信号Ｉｎ（ｔ）が無線装置５０へ送信され、無線装置５０から送信ベースバンド信号Ｉｎ（ｔ）に対して送信されたフィードバック信号ＦＢ（ｔ）と送信ベースバンド信号Ｉｎ（ｔ）との差分が算出されるまでに掛かるトータルの遅延時間に対応する。
【００３１】
遅延部３６は、参照信号としての送信ベースバンド信号Ｉｎ（ｔ）を遅延量ｄ３だけ遅延させ、遅延後の参照信号を比較部３７へ出力する。遅延量ｄ３は、送信ベースバンド信号Ｉｎ（ｔ）が無線装置５０へ送信され、無線装置５０から送信ベースバンド信号Ｉｎ（ｔ）に対して送信されたフィードバック信号ＦＢ（ｔ）が比較部３７に入力されるまでに掛かるトータルの遅延時間に対応する。
【００３２】
比較部３７は、参照信号としての送信ベースバンド信号Ｉｎ（ｔ）とフィードバック信号ＦＢ（ｔ）とを比較して両信号の誤差信号ｅ（ｔ）を算出し、算出した誤差信号ｅ（ｔ）を補償係数算出部３８へ出力する。
【００３３】
補償係数算出部３８は、比較部３７から受け取った誤差信号ｅ（ｔ）と、遅延部３５を介して受け取った歪補償係数とに基づいて、歪補償係数の更新値を算出し、算出した歪補償係数の更新値を更新部４１へ出力する。
【００３４】
図２の説明に戻り、高速シリアルインタフェース部１３は、例えば、シリアルインタフェース規格であるＪＥＳＤ規格に準拠している。高速シリアルインタフェース部１３は、歪補償処理後の送信ベースバンド信号Ｉｎ（ｔ）に対してクロック（つまり、タイミング情報）を多重（重畳）し、多重信号を光インタフェース部１４へ出力する。また、高速シリアルインタフェース部１３は、光インタフェース部１４から受け取った多重信号を、クロックとクロック以外の信号とに分離する。図２に示すように、高速シリアルインタフェース部１３は、多重部２１と、分離部２２とを有する。上記の多重処理は、多重部２１で行われ、上記の分離処理は、分離部２２で行われる。
【００３５】
光インタフェース部１４は、電気／光変換部２３と、光／電気変換部２４とを有する。電気／光変換部２３は、高速シリアルインタフェース部１３から受け取る多重信号を電気信号から光信号に変換し、得られた光信号を光伝送路Ｌ１へ送出する。送出された光信号は、無線装置５０へ送信される。光／電気変換部２４は、無線装置５０から送信された光信号を受信し、受信した光信号を電気信号に変換し、得られた電気信号（つまり、受信電気信号）を分離部２２へ出力する。
【００３６】
抽出部１５は、分離部２２で得られた、クロック以外の信号からフィードバック信号ＦＢ（ｔ）を抽出し、抽出したフィードバック信号ＦＢ（ｔ）を歪補償部１２へ出力する。
【００３７】
［無線装置の構成例］
図４は、実施例１の無線装置の一例を示すブロック図である。図４において、無線装置５０は、光インタフェース部５１と、高速シリアルインタフェース部５２と、抽出部５３と、無線送信部５４と、カプラ５５と、ダウンコンバータ５６と、アナログデジタル（Ａ／Ｄ）変換部５７と、サーキュレータ５８と、無線受信部５９とを有する。
【００３８】
光インタフェース部５１は、光／電気変換部６１と、電気／光変換部６２とを有する。光／電気変換部６１は、ベースバンド処理装置１０から送信された光信号を受信し、受信した光信号を電気信号に変換し、得られた電気信号（つまり、受信電気信号）を高速シリアルインタフェース部５２へ出力する。電気／光変換部６２は、高速シリアルインタフェース部５２から受け取る多重信号を電気信号から光信号に変換し、得られた光信号を光伝送路Ｌ１へ送出する。送出された光信号は、ベースバンド処理装置１０へ送信される。
【００３９】
高速シリアルインタフェース部５２は、例えば、シリアルインタフェース規格であるＪＥＳＤ規格に準拠している。高速シリアルインタフェース部５２は、光／電気変換部６１から受け取った受信電気信号を、クロックとクロック以外の信号とに分離する。高速シリアルインタフェース部５２は、Ａ／Ｄ変換部５７から受け取ったフィードバック信号及び無線受信部５９から受け取った受信信号に対してクロック（つまり、タイミング情報）を多重（重畳）し、多重信号を光インタフェース部５１へ出力する。図４に示すように、高速シリアルインタフェース部５２は、分離部６３と、多重部６４とを有する。上記の多重処理は、多重部６４で行われ、上記の分離処理は、分離部６３で行われる。
【００４０】
抽出部５３は、分離部６３で得られた、クロック以外の信号からデータ信号を抽出し、抽出したデータ信号を無線送信部５４へ出力する。
【００４１】
無線送信部５４は、抽出部５３で抽出されたデータ信号に対して所定の無線処理（デジタルアナログ変換、アップコンバート、増幅等）を施し、得られた無線信号をカプラ５５へ出力する。無線送信部５４は、図４に示すように、デジタルアナログ（Ｄ／Ａ）変換部６５と、アップコンバータ６６と、増幅部６７とを有する。上記のデジタルアナログ変換処理は、デジタルアナログ変換部６５で行われ、上記のアップコンバート処理は、アップコンバータ６６で行われ、上記の増幅処理は、増幅部６７で行われる。
【００４２】
カプラ５５は、無線送信部５４から出力された無線信号を、サーキュレータ５８とダウンコンバータ５６とに分配する。これにより、増幅部６７の出力信号がダウンコンバータ５６及びアナログデジタル変換部５７を介してベースバンド処理装置１０へフィードバックされる。
【００４３】
ダウンコンバータ５６は、カプラ５５から入力される信号をダウンコンバートし、ダウンコンバート後の信号をアナログデジタル変換部５７へ出力する。
【００４４】
アナログデジタル変換部５７は、ダウンコンバート後の信号をアナログ信号からデジタル信号に変換し、変換後のデジタルの信号をフィードバック信号ＦＢ（ｔ）として多重部６４へ出力する。
【００４５】
サーキュレータ５８は、カプラ５５から出力された無線信号をアンテナを介して送信する。また、サーキュレータ５８は、アンテナを介して受信した信号を無線受信部５９へ出力する。
【００４６】
無線受信部５９は、サーキュレータ５８から受け取った無線信号に対して所定の無線受信処理（ダウンコンバート、アナログデジタル変換等）を施し、得られた受信信号を多重部６４へ出力する。
【００４７】
以上のように本実施例によれば、ベースバンド処理装置１０は、無線装置５０の増幅部６７における歪を補償する歪補償部１２を有する。
【００４８】
このベースバンド処理装置１０の構成により、無線装置５０から歪補償部を取り除くことができるので、無線装置５０の小型化を実現することができる。
【００４９】
また、無線装置５０において、フィードバック信号の形成部としてのダウンコンバータ５６及びアナログデジタル変換部５７は、増幅部６７の出力信号に応じたフィードバック信号を形成し、送信部としての高速シリアルインタフェース部５２及び光インタフェース部５１は、フィードバック信号を光伝送路を介してベースバンド処理装置１０へ送信する。
【００５０】
この無線装置５０の構成により、歪補償処理をベースバンド処理装置１０で行うことができ、結果として、無線装置５０の小型化を実現することができる。
【００５１】
［実施例２］
実施例２は、ベースバンド処理装置と無線装置との間のフレーム同期処理に関する。
【００５２】
［ベースバンド処理装置の構成例］
図５は、実施例２のベースバンド処理装置の一例を示すブロック図である。図５では、図２に示したベースバンド処理装置１０の構成に加えて、フレーム同期処理に関わる構成が示されている。
【００５３】
図５において、ベースバンド処理装置１０は、リンクアップ制御部１１１と、基準クロック生成部１１２，１１５と、フレーム補正制御部１１３と、フレームパルス生成部１１４，１１６と、フレーム補正部１１７とを有する。なお、ここでは、基準クロック生成部１１２，１１５を異なる機能部として説明しているが、これに限定されるものではなく、１つの機能部によって実現してもよい。同様に、フレームパルス生成部１１４，１１６も１つの機能部によって実現してもよい。
【００５４】
リンクアップ制御部１１１は、下り回線、つまり、ベースバンド処理装置１０から無線装置５０の方向の回線のリンクアップを制御する。例えば、リンクアップ制御部１１１は、リンクアップ手順において、Ｋコードを多重部２１へ出力する。このＫコードは、クロックが多重されて、無線装置５０へ送信される。
【００５５】
また、リンクアップ制御部１１１は、リンクアップ手順の開始から所定時間経過後に、「開始トリガーパルス」の出力命令を基準クロック生成部１１２へ出力する。この出力命令によって基準クロック生成部１１２から「開始トリガーパルス」がフレームパルス生成部１１４へ出力され、フレームパルス生成部１１４は、多重部２１に対してフレーム毎にフレームパルスを出力する。「開始トリガーパルス」は、例えば、１パルス信号である。
【００５６】
また、リンクアップ制御部１１１は、フレームパルスの出力が開始されると、フレームパルス生成部１１４から「リンクアップ要求信号」を受け取り、この「リンクアップ要求信号」に応じてＩＬＡＳパターンを多重部２１へ出力する。このＩＬＡＳパターンは、クロックが多重されて、無線装置５０へ送信される。
【００５７】
また、リンクアップ制御部１１１は、ＩＬＡＳパターンの出力後に、フレーム補正制御部１１３に対して、「補正制御開始命令」を出力する。これにより、フレーム補正制御部１１３は、フレームパルス生成部１１４のカウント値を多重部２１へ出力する。このカウント値は、無線装置５０へ送信される。
【００５８】
基準クロック生成部１１２は、リンクアップ制御部１１１から開始トリガーパルスの出力命令を受け取ると、開始トリガーパルスをフレームパルス生成部１１４へ出力する。
【００５９】
フレームパルス生成部１１４は、基準クロック生成部１１２から開始トリガーパルスを受け取ると、フレームパルスの出力を開始する。例えば、フレームパルス生成部１１４は、カウンタを有し、カウンタのカウント値が１フレーム分の値になる毎に、フレームパルスを多重部２１へ出力する。また、フレームパルス生成部１１４は、フレームパルスの出力を開始すると、上記のリンクアップ要求信号をリンクアップ制御部１１１へ出力する。
【００６０】
フレーム補正制御部１１３は、リンクアップ制御部１１１から補正制御開始命令を受け取ると、フレームパルス生成部１１４からその時点でのカウント値を取得し、取得したカウント値を含む制御データ信号を多重部２１へ出力する。この制御データ信号は、無線装置５０へ送信される。
【００６１】
基準クロック生成部１１５は、分離部２２で多重信号から分離されて得られたクロックを受け取ると、「開始トリガーパルス」をフレームパルス生成部１１６へ出力する。
【００６２】
フレームパルス生成部１１６は、基準クロック生成部１１５から開始トリガーパルスを受け取ると、フレームパルスの出力を開始する。例えば、フレームパルス生成部１１６は、カウンタを有し、カウンタのカウント値が１フレーム分の値になる毎に、フレームパルスを分離部２２へ出力する。
【００６３】
フレーム補正部１１７は、無線装置５０から送信され且つ抽出部１５で抽出された、制御データ信号を受け取ると、フレームパルス生成部１１６からその時点のカウント値を取得する。そして、フレーム補正部１１７は、制御データ信号に含まれている無線装置５０のカウント値を基準として、フレームパルス生成部１１６のカウント値を補正する補正値を算出する。そして、フレーム補正部１１７は、算出した補正値によってフレームパルス生成部１１６のカウント値を補正する。例えば、フレーム補正部１１７は、フレームパルス生成部１１６のカウント値から制御データ信号に含まれている無線装置５０のカウント値を減算することにより、補正値を算出する。
【００６４】
［無線装置の構成例］
図６は、実施例２の無線装置の一例を示すブロック図である。図６では、図４に示した無線装置５０の構成に加えて、フレーム同期処理に関わる構成が示されている。また、実施例２の無線装置５０のフレーム同期処理に関わる機能部の処理動作は、基本的に、上記の実施例２のベースバンド処理装置１０のフレーム同期処理に関わる機能部の処理動作と同じである。
【００６５】
図６において、無線装置５０は、リンクアップ制御部１５１と、基準クロック生成部１５２，１５５と、フレーム補正制御部１５３と、フレームパルス生成部１５４，１５６と、フレーム補正部１５７とを有する。なお、ここでは、基準クロック生成部１５２，１５５を異なる機能部として説明しているが、これに限定されるものではなく、１つの機能部によって実現してもよい。同様に、フレームパルス生成部１５４，１５６も１つの機能部によって実現してもよい。
【００６６】
リンクアップ制御部１５１は、上り回線、つまり、無線装置５０からベースバンド処理装置１０の方向の回線のリンクアップを制御する。例えば、リンクアップ制御部１５１は、リンクアップ手順において、Ｋコードを多重部６４へ出力する。このＫコードは、クロックが多重されて、ベースバンド処理装置１０へ送信される。
【００６７】
また、リンクアップ制御部１５１は、リンクアップ手順の開始から所定時間経過後に、「開始トリガーパルス」の出力命令を基準クロック生成部１５２へ出力する。この出力命令によって基準クロック生成部１５２から「開始トリガーパルス」がフレームパルス生成部１５４へ出力され、フレームパルス生成部１５４は、多重部６４に対してフレーム毎にフレームパルスを出力する。「開始トリガーパルス」は、例えば、１パルス信号である。
【００６８】
また、リンクアップ制御部１５１は、フレームパルスの出力が開始されると、フレームパルス生成部１５４から「リンクアップ要求信号」を受け取り、この「リンクアップ要求信号」に応じてＩＬＡＳパターンを多重部６４へ出力する。このＩＬＡＳパターンは、クロックが多重されて、ベースバンド処理装置１０へ送信される。
【００６９】
また、リンクアップ制御部１５１は、ＩＬＡＳパターンの出力後に、フレーム補正制御部１５３に対して、「補正制御開始命令」を出力する。これにより、フレーム補正制御部１５３は、フレームパルス生成部１５４のカウント値を多重部６４へ出力する。このカウント値は、ベースバンド処理装置１０へ送信される。
【００７０】
基準クロック生成部１５２は、リンクアップ制御部１５１から開始トリガーパルスの出力命令を受け取ると、開始トリガーパルスをフレームパルス生成部１５４へ出力する。
【００７１】
フレームパルス生成部１５４は、基準クロック生成部１５２から開始トリガーパルスを受け取ると、フレームパルスの出力を開始する。例えば、フレームパルス生成部１５４は、カウンタを有し、カウンタのカウント値が１フレーム分の値になる毎に、フレームパルスを多重部６４へ出力する。また、フレームパルス生成部１５４は、フレームパルスの出力を開始すると、上記のリンクアップ要求信号をリンクアップ制御部１５１へ出力する。
【００７２】
フレーム補正制御部１５３は、リンクアップ制御部１５１から補正制御開始命令を受け取ると、フレームパルス生成部１５４からその時点でのカウント値を取得し、取得したカウント値を含む制御データ信号を多重部６４へ出力する。この制御データ信号は、ベースバンド処理装置１０へ送信される。
【００７３】
基準クロック生成部１５５は、分離部６３で多重信号から分離されて得られたクロックを受け取ると、「開始トリガーパルス」をフレームパルス生成部１５６へ出力する。
【００７４】
フレームパルス生成部１５６は、基準クロック生成部１５５から開始トリガーパルスを受け取ると、フレームパルスの出力を開始する。例えば、フレームパルス生成部１５６は、カウンタを有し、カウンタのカウント値が１フレーム分の値になる毎に、フレームパルスを分離部６３へ出力する。
【００７５】
フレーム補正部１５７は、ベースバンド処理装置１０から送信され且つ抽出部５３で抽出された、制御データ信号を受け取ると、フレームパルス生成部１５６からその時点のカウント値を取得する。そして、フレーム補正部１５７は、制御データ信号に含まれているベースバンド処理装置１０のカウント値を基準として、フレームパルス生成部１５６のカウント値を補正する補正値を算出する。そして、フレーム補正部１５７は、算出した補正値によってフレームパルス生成部１５６のカウント値を補正する。例えば、フレーム補正部１５７は、フレームパルス生成部１５６のカウント値から制御データ信号に含まれているベースバンド処理装置１０のカウント値を減算することにより、補正値を算出する。
【００７６】
［無線通信システムの動作例］
以上の構成を有する実施例２の無線通信システム１の処理動作の一例について説明する。ここでは、特に、下り回線のフレーム同期処理に関する処理動作について説明する。図７は、実施例２のベースバンド処理装置の処理動作の一例を示すフローチャートである。
【００７７】
ベースバンド処理装置１０において、リンクアップ制御部１１１は、Ｋコードを多重部２１へ出力する（ステップＳ１０１）。
【００７８】
基準クロック生成部１１２は、開始トリガーパルスをフレームパルス生成部１１４へ出力する（ステップＳ１０２）。ここで、基準クロック生成部１１２は、リンクアップ制御部１１１から開始トリガーパルスの出力命令を受け取ると、開始トリガーパルスを出力する。リンクアップ制御部１１１は、リンクアップ手順の開始から所定時間経過後に、「開始トリガーパルス」の出力命令を基準クロック生成部１１２へ出力する。
【００７９】
フレームパルス生成部１１４は、基準クロック生成部１１２から開始トリガーパルスを受け取ると、フレームパルスの出力を開始する（ステップＳ１０３）。
【００８０】
フレームパルス生成部１１４は、フレームパルスの出力を開始すると、リンクアップ要求信号をリンクアップ制御部１１１へ出力する（ステップＳ１０４）。
【００８１】
リンクアップ制御部１１１は、フレームパルス生成部１１４からリンクアップ要求信号を受け取ると、ＩＬＡＳパターンを無線装置５０へ送信する（ステップＳ１０５）。
【００８２】
リンクアップ制御部１１１は、ＩＬＡＳパターンの出力後に、フレーム補正制御部１１３に対して、補正制御開始命令を出力する（ステップＳ１０６）。
【００８３】
フレーム補正制御部１１３は、リンクアップ制御部１１１から補正制御開始命令を受け取ると、フレームパルス生成部１１４からその時点でのカウント値を取得する（ステップＳ１０７）。
【００８４】
フレーム補正制御部１１３は、取得したカウント値を含む制御データ信号を無線装置５０へ送信する（ステップＳ１０８）。
【００８５】
図８は、実施例２の無線装置の処理動作の一例を示すフローチャートである。
【００８６】
無線装置５０において、基準クロック生成部１５５は、分離部６３で多重信号から分離されて得られたクロックを取得する（ステップＳ２０１）。
【００８７】
基準クロック生成部１５５は、分離部６３で多重信号から分離されて得られたクロックを受け取ると、開始トリガーパルスをフレームパルス生成部１５６へ出力する（ステップＳ２０２）。
【００８８】
フレームパルス生成部１５６は、基準クロック生成部１５５から開始トリガーパルスを受け取ると、フレームパルスの出力を開始する（ステップＳ２０３）。
【００８９】
フレーム補正部１５７は、ベースバンド処理装置１０から送信され且つ抽出部５３で抽出された制御データ信号（カウント値を含む）を取得する（ステップＳ２０４）。
【００９０】
フレーム補正部１５７は、制御データ信号を受け取ると、フレームパルス生成部１５６からその時点のカウント値を取得する（ステップＳ２０５）。
【００９１】
フレーム補正部１５７は、制御データ信号に含まれているベースバンド処理装置１０のカウント値と、フレームパルス生成部１５６のカウント値とに基づいて、補正処理を実行する（ステップＳ２０６）。すなわち、フレーム補正部１５７は、制御データ信号に含まれているベースバンド処理装置１０のカウント値を基準として、フレームパルス生成部１５６のカウント値を補正する補正値を算出する。そして、フレーム補正部１５７は、算出した補正値によってフレームパルス生成部１５６のカウント値を補正する。
【００９２】
以上のように本実施例によれば、ベースバンド処理装置１０において、フレーム補正部１１７は、無線装置５０のカウンタにおけるカウント値を取得し、取得したカウント値に基づいて、フレームパルス生成部１１６のカウンタにおけるカウント値を補正する。
【００９３】
このベースバンド処理装置１０の構成により、ベースバンド処理装置１０の上り回線のフレームタイミングを無線装置５０のフレームタイミングに同期させることができる。
【００９４】
また、無線装置５０において、フレーム補正制御部１５３は、フレームパルス生成部１５４からカウント値を取得し、取得したカウント値を含む制御データ信号を光伝送路を介してベースバンド処理装置１０へ送信する。
【００９５】
この無線装置５０の構成により、ベースバンド処理装置１０の上り回線のフレームタイミングを無線装置５０のフレームタイミングに同期させることができる。
【００９６】
また、無線装置５０において、フレーム補正部１５７は、ベースバンド処理装置１０のカウンタにおけるカウント値を取得し、取得したカウント値に基づいて、フレームパルス生成部１５６のカウンタにおけるカウント値を補正する。
【００９７】
この無線装置５０の構成により、無線装置５０の下り回線のフレームタイミングをベースバンド処理装置１０のフレームタイミングに同期させることができる。
【００９８】
また、ベースバンド処理装置１０において、フレーム補正制御部１１３は、フレームパルス生成部１１４からその時点でのカウント値を取得し、取得したカウント値を含む制御データ信号を光伝送路を介して無線装置５０へ送信する。
【００９９】
このベースバンド処理装置１０の構成により、無線装置５０の下り回線のフレームタイミングをベースバンド処理装置１０のフレームタイミングに同期させることができる。
【０１００】
［実施例３］
実施例３は、歪補償処理における遅延補正制御に関する。
【０１０１】
［ベースバンド処理装置の構成例］
図９は、実施例３のベースバンド処理装置の一例を示すブロック図である。図９では、図２に示したベースバンド処理装置１０の構成に加えて、遅延補正制御に関わる構成が示されている。
【０１０２】
図９において、ベースバンド処理装置１０は、既知信号生成部２１１と、ラウンドトリップタイム算出部２１２と、遅延量補正部２１３とを有する。
【０１０３】
既知信号生成部２１１は、ランドトリップタイムの測定に用いる既知信号（以下では、「テストデータ信号」と呼ぶことがある）を生成し、生成した既知信号を多重部２１へ出力する。また、既知信号生成部２１１は、既知信号を多重部２１へ出力すると同時に、送信タイミングを知らせる「送信タイミング通知信号」をラウンドトリップタイム算出部２１２へ出力する。
【０１０４】
ラウンドトリップタイム算出部２１２は、既知信号生成部２１１から送信タイミング通知信号を受け取り、そのタイミング（つまり、送信タイミング）を取得する。そして、ラウンドトリップタイム算出部２１２は、無線装置５０から送信され且つ抽出部１５で抽出された「返信信号」を受け取ると、そのタイミング（つまり、受信タイミング）を取得する。そして、ラウンドトリップタイム算出部２１２は、送信タイミングと受信タイミングとに基づいて、ラウンドトリップタイムを算出する。なお、ラウンドトリップタイム算出部２１２は、既知信号生成部２１１から送信タイミング通知信号を受け取ると経過時間の計測を開始し、「返信信号」を受け取ると経過時間の計測を終了し、計測した経過時間をラウンドトリップタイムとしてもよい。
【０１０５】
遅延量補正部２１３は、ラウンドトリップタイム算出部２１２で取得されたラウンドトリップタイムに基づいて、歪補償部１２の遅延部３４，３５，３６における「設定遅延量」を補正する。例えば、遅延量補正部２１３は、メモリ（図示せず）に「対応テーブル」を保持しており、ラウンドトリップタイム算出部２１２で取得されたラウンドトリップタイムと「対応テーブル」とに基づいて、補正後の設定遅延量を特定する。「対応テーブル」は、ラウンドトリップタイムの複数の候補値と、各候補値に応じた遅延量とを対応付けて保持している。
【０１０６】
［無線装置の構成例］
図１０は、実施例３の無線装置の一例を示すブロック図である。
【０１０７】
図１０において、無線装置５０の抽出部５３は、分離部６３で多重信号から分離されたクロック以外の信号から「テストデータ信号」を抽出し、抽出した「テストデータ信号」を「返信信号」として多重部６４へ出力する。この「返信信号」は、ベースバンド処理装置１０へ送信される。
【０１０８】
［無線通信システムの動作例］
以上の構成を有する実施例３の無線通信システム１の処理動作の一例について説明する。ここでは、特に、ベースバンド処理装置１０の処理動作について説明する。図１１は、実施例３のベースバンド処理装置の処理動作の一例を示すフローチャートである。
【０１０９】
既知信号生成部２１１は、テストデータ信号を多重部２１へ出力することにより、テストデータ信号を無線装置５０へ送信する（ステップＳ３０１）。
【０１１０】
ラウンドトリップタイム算出部２１２は、送信されたテストデータ信号に対する返信信号を受信する（ステップＳ３０２）。
【０１１１】
ラウンドトリップタイム算出部２１２は、送信タイミングと受信タイミングとに基づいて、ラウンドトリップタイムを算出する（ステップＳ３０３）。
【０１１２】
遅延量補正部２１３は、ラウンドトリップタイム算出部２１２で取得されたラウンドトリップタイムに基づいて、歪補償部１２の遅延部３４，３５，３６における「設定遅延量」を補正する（ステップＳ３０４）。
【０１１３】
以上のように本実施例によれば、ベースバンド処理装置１０において、既知信号生成部２１１は、テストデータ信号を、光伝送路Ｌ１を介して無線装置５０へ送信する。そして、ラウンドトリップタイム算出部２１２は、テストデータ信号の送信タイミングと、テストデータ信号に応じて無線装置５０から送信された返信信号の受信タイミングとに基づいて、ラウンドトリップタイムを算出する。そして、遅延量補正部２１３は、算出されたラウンドトリップタイムに基づいて、歪補償部１２の遅延部３４，３５，３６における設定遅延量を補正する。
【０１１４】
このベースバンド処理装置１０の構成により、例えば光伝送路Ｌ１の長さが変更された場合でも、歪補償処理におけるタイミングを調整することができる。
【０１１５】
［実施例４］
実施例４は、光伝送路の状況に応じて、歪補償係数の算出処理及び更新処理の実行非実行を制御する。
【０１１６】
［ベースバンド処理装置の構成例］
図１２は、実施例４のベースバンド処理装置の一例を示すブロック図である。図１２では、図２に示したベースバンド処理装置１０の構成に加えて、歪補償処理の実行非実行の制御に関わる構成が示されている。
【０１１７】
図１２において、ベースバンド処理装置１０は、モニタ部３１１と、歪補償制御部３１２とを有する。
【０１１８】
モニタ部３１１は、無線装置５０から送信され且つ抽出部１５で抽出された、既知信号（以下では、「フレーム同期用ビット」と呼ぶことがある）にエラーがあるか否かを判定する。
【０１１９】
歪補償制御部３１２は、モニタ部３１１でエラーがあると判定された場合、歪補償部１２における歪補償係数の算出処理及び更新処理を停止させる。一方、歪補償制御部３１２は、歪補償係数の算出処理及び更新処理が停止されている状況において、モニタ部３１１でエラーがないと判定された場合、歪補償部１２による歪補償係数の算出処理及び更新処理を開始させる。
【０１２０】
［無線装置の構成例］
図１３は、実施例４の無線装置の一例を示すブロック図である。図１３では、図４に示した無線装置５０の構成に加えて、歪補償処理の実行非実行の制御に関わる構成が示されている。
【０１２１】
図１３において、無線装置５０は、既知信号生成部３５１を有する。
【０１２２】
既知信号生成部３５１は、上記のフレーム同期用ビットを生成し、生成したフレーム同期用ビットを多重部６４へ出力する。このフレーム同期用ビットは、例えば、フレームの先頭部にマッピングされて送信される。
【０１２３】
［無線通信システムの動作例］
以上の構成を有する実施例４の無線通信システム１の処理動作の一例について説明する。ここでは、特に、ベースバンド処理装置１０の処理動作について説明する。図１４は、実施例４のベースバンド処理装置の処理動作の一例を示すフローチャートである。
【０１２４】
ベースバンド処理装置１０において、モニタ部３１１は、無線装置５０から送信され且つ抽出部１５で抽出された、フレーム同期用ビットを取得する（ステップＳ４０１）。
【０１２５】
モニタ部３１１は、取得したフレーム同期用ビットにエラーがないか判定する（ステップＳ４０２）。
【０１２６】
取得したフレーム同期用ビットにエラーがない場合（ステップＳ４０２肯定）、歪補償制御部３１２は、歪補償係数の算出処理及び更新処理が停止している状態ではその算出処理及び更新処理を開始させ、歪補償係数の算出処理及び更新処理が動いている状態ではその算出処理及び更新処理を継続させる（ステップＳ４０３）。なお、歪補償制御部３１２は、例えば、複数フレームのフレーム同期用ビットにエラーがない場合に、歪補償係数の算出処理及び更新処理を開始させてもよい。
【０１２７】
取得したフレーム同期用ビットにエラーがある場合（ステップＳ４０２否定）、歪補償制御部３１２は、歪補償係数の算出処理及び更新処理が動いている状態ではその算出処理及び更新処理を停止させ、歪補償係数の算出処理及び更新処理が停止している状態ではその算出処理及び更新処理の停止を継続させる（ステップＳ４０４）。
【０１２８】
ステップＳ４０１〜ステップＳ４０４の処理は、終了条件が満たされない場合（ステップＳ４０５否定）、繰り返し実行される。終了条件が満たされた場合（ステップＳ４０５肯定）、図１４の処理フローは終了する。終了条件は、例えば、ベースバンド処理装置１０の電源がＯＦＦになることである。
【０１２９】
以上のように本実施例によれば、ベースバンド処理装置１０において、モニタ部３１１は、無線装置５０から送信されたフレーム同期用ビットをモニタする。そして、歪補償制御部３１２は、モニタ部３１１によってフレーム同期用ビットにエラーが検出された場合、歪補償部１２における歪補償係数の更新処理を停止させる。
【０１３０】
このベースバンド処理装置１０の構成により、歪補償係数の算出精度が低下する状況において更新処理を停止することができるので、歪補償処理の精度低下を防止することができる。
【０１３１】
［他の実施例］
［１］実施例１から実施例４の歪補償部１２は、無線装置５０の温度に応じて歪補償係数を調整してもよい。
【０１３２】
［２］実施例１から実施例４のそれぞれで説明したベースバンド処理装置１０の構成は、１つのベースバンド処理装置１０に全て設けられてもよい。また、実施例１から実施例４のそれぞれで説明した無線装置５０の構成は、１つの無線装置５０に全て設けられてもよい。
【０１３３】
［３］実施例２及び実施例３で説明したフレーム同期処理及び遅延補正制御処理は、一連のフローで実行されてもよい。すなわち、フレーム同期処理、遅延補正制御処理の順番で実行されてもよい。
【０１３４】
［４］実施例１から実施例４で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１３５】
さらに、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【０１３６】
実施例１から実施例４のベースバンド処理装置及び無線装置は、例えば、次のようなハードウェア構成により実現することができる。
【０１３７】
図１５は、ベースバンド処理装置のハードウェア構成例を示す図である。図１５に示すように、ベースバンド処理装置４００は、プロセッサ４０１と、メモリ４０２と、光モジュール４０３とを有する。プロセッサ４０１の一例としては、ＣＰＵ、ＤＳＰ（Digital  Signal  Processor）、ＦＰＧＡ（Field  Programmable  Gate  Array）等が挙げられる。また、メモリ４０２の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【０１３８】
そして、実施例１から実施例４のベースバンド処理装置で行われる各種処理機能は、不揮発性記憶媒体などの各種メモリに格納されたプログラムをプロセッサで実行することによって実現してもよい。すなわち、ベースバンド部１１と、歪補償部１２と、高速シリアルインタフェース部１３と、抽出部１５と、リンクアップ制御部１１１と、基準クロック生成部１１２，１１５と、フレーム補正制御部１１３と、フレームパルス生成部１１４，１１６と、フレーム補正部１１７と、既知信号生成部２１１と、ラウンドトリップタイム算出部２１２と、遅延量補正部２１３と、モニタ部３１１と、歪補償制御部３１２とによって実行される各処理に対応するプログラムがメモリ４０２に記録され、各プログラムがプロセッサ４０１で実行されてもよい。光インタフェース部１４は、光モジュール４０３によって実現される。
【０１３９】
なお、ここでは、実施例１から実施例４のベースバンド処理装置で行われる各種処理機能が１つのプロセッサ４０１によって実行されるものとしたが、これに限定されるものではなく、複数のプロセッサによって実行されてもよい。
【０１４０】
図１６は、無線装置のハードウェア構成例を示す図である。図１６に示すように、無線装置５００は、光モジュール５０１と、プロセッサ５０２と、メモリ５０３と、ＲＦ回路５０４とを有する。プロセッサ５０２の一例としては、ＣＰＵ、ＤＳＰ、ＦＰＧＡ等が挙げられる。また、メモリ５０３の一例としては、ＳＤＲＡＭ等のＲＡＭ、ＲＯＭ、フラッシュメモリ等が挙げられる。
【０１４１】
そして、実施例１から実施例４の無線装置で行われる各種処理機能は、不揮発性記憶媒体などの各種メモリに格納されたプログラムをプロセッサで実行することによって実現してもよい。すなわち、高速シリアルインタフェース部５２と、抽出部５３と、リンクアップ制御部１５１と、基準クロック生成部１５２，１５５と、フレーム補正制御部１５３と、フレームパルス生成部１５４，１５６と、フレーム補正部１５７と、既知信号生成部３５１とによって実行される各処理に対応するプログラムがメモリ５０３に記録され、各プログラムがプロセッサ５０２で実行されてもよい。また、無線送信部５４と、カプラ５５と、ダウンコンバータ５６と、Ａ／Ｄ変換部５７と、サーキュレータ５８と、無線受信部５９とは、ＲＦ回路５０４によって実現される。また、光インタフェース部５１は、光モジュール５０１によって実現される。
【０１４２】
なお、ここでは、実施例１から実施例４の無線装置で行われる各種処理機能が１つのプロセッサ５０２によって実行されるものとしたが、これに限定されるものではなく、複数のプロセッサによって実行されてもよい。
【符号の説明】
【０１４３】
１  無線通信システム
１０  ベースバンド処理装置
１１  ベースバンド部
１２  歪補償部
１３，５２  高速シリアルインタフェース部
１４，５１  光インタフェース部
１５，５３  抽出部
２１，６４  多重部
２２，６３  分離部
２３，６２  電気／光変換部
２４，６１  光／電気変換部
３１  アドレス算出部
３３  乗算部
３４，３５，３６  遅延部
３７  比較部
３８  補償係数算出部
４１  更新部
４２  テーブル記憶部
４３  読出部
５０  無線装置
５４  無線送信部
５５  カプラ
５６  ダウンコンバータ
５７  アナログデジタル変換部
５８  サーキュレータ
５９  無線受信部
６５  デジタルアナログ変換部
６６  アップコンバータ
６７  増幅部
９０  端末
１１１，１５１  リンクアップ制御部
１１２，１１５，１５２，１５５  基準クロック生成部
１１３，１５３  フレーム補正制御部
１１４，１１６，１５４，１５６  フレームパルス生成部
１１７，１５７  フレーム補正部
２１１，３５１  既知信号生成部
２１２  ラウンドトリップタイム算出部
２１３  遅延量補正部
３１１  モニタ部
３１２  歪補償制御部
【図１】
2016082402.tif 000003
【図２】
2016082402.tif 000004
【図３】
2016082402.tif 000005
【図４】
2016082402.tif 000006
【図５】
2016082402.tif 000007
【図６】
2016082402.tif 000008
【図７】
2016082402.tif 000009
【図８】
2016082402.tif 000010
【図９】
2016082402.tif 000011
【図１０】
2016082402.tif 000012
【図１１】
2016082402.tif 000013
【図１２】
2016082402.tif 000014
【図１３】
2016082402.tif 000015
【図１４】
2016082402.tif 000016
【図１５】
2016082402.tif 000017
【図１６】
2016082402.tif 000018